(57)【要約】【課題】  平版印刷版を所定のスキッドに効率よく集積させることができるスキッド供給ラインを得る。【解決手段】  ＰＳ版１０を集積させるか否かに拘わらず、スキッド３６を必ず集積部３４へ搬送することで、スキッド供給ライン３８を複雑化させることなく、自動化を実現させることができ、ＰＳ版１０を所定のスキッド３６に効率よく集積させることができる。また、集積部３４を集積１と集積２で構成することで、余剰スキッド３６において、他方の集積部３４でＰＳ版１０が集積されているとき、一方の集積部３４で該余剰スキッド３６を通過させるようにする。これにより、スキッド供給ライン３８を停止させることなく、生産性を向上させることができる。【選択図】        図２
2007084304.tif 000002
【特許請求の範囲】
【請求項１】
所定サイズに加工されたシートを集積するシート集積部で集積されるシートと前記シート集積部へ搬入されたスキッドが適合するか否かを判断する適否判断手段と、
前記適否判断手段でシートと前記スキッドが適合しないと判断されると、前記シート集積部を通過させて該スキッドを搬出口へ搬送し、前記適否判断手段でシートと前記スキッドが適合すると判断されると、前記シート集積部で該スキッドにシートを集積した後、スキッドを搬出口へ搬送する搬送手段と、
を有することを特徴とするスキッド供給ライン。
【請求項２】
前記シート集積部が二つの集積部で構成され、前記スキッドが一方の集積部を通過するとき、他方の集積部でシートが集積されることを特徴とする請求項１に記載のスキッド供給ライン。
【発明の詳細な説明】
【技術分野】
【０００１】
本発明は、平版印刷版を集積するスキッドを供給するスキッド供給ラインに関するものである。
【背景技術】
【０００２】
平版印刷版（以下「ＰＳ版」という）は、一般にシート状或いはコイル状のアルミニウム版等の金属版に、例えば、砂目立て、陽極酸化、シリケート処理、その他化成処理等の表面処理を単独又は適宜組み合わせて行い、次いで、感光液の塗布及び乾燥処理を行った後、裁断部で所望のサイズに裁断し、シート状態から束状態に集積して、製品形態に包装し出荷される。
【０００３】
しかしながら、ＰＳ版は感光性印刷版に限っても、少印刷用、多量印刷用、新聞印刷用、レーザー製版用などの品種があるとともに、板厚も０．１ｍｍ〜０．５ｍｍまである。また、サイズもカードサイズから畳大の大きさまであり、各仕様に合わせてユーザに供給されている。
【０００４】
ここで、各仕様に合わせた出荷形態は、シートの集合体である束が１束当たり２０Ｋｇ相当を目安にアルミクラフトなどの内装材で内装した状態で出荷する形態と、内装された内装束を扁平の段ボール箱で外装する個装（段ボール外装）と呼ばれる形態がほとんどであった（例えば、特許文献１）。
【０００５】
一方、感光性印刷版の普及にともない、ユーザの使い勝手も多様になり、内装束を数束積み上げパレット包装で出荷する束内装形態、内装しない状態で数百枚一括でパレット包装するバルク形態、合紙なしで専用鉄製スキッドに数百枚積み重ね一括包装するスキッド形態、など多様な出荷形態が要求されるようになってきた。
【０００６】
このため、各仕様に合わせ、人手によって所定のスキッドを集積部に供給すると共に、集積済みスキッドを包装工程へ搬送しているが、ＰＳ版の大量生産化に伴い、できるだけ自動ライン化を実現させるに当たって、人手によって所定のスキッドを供給するということは非効率である。
【特許文献１】特開２００１−６６７３７号公報
【発明の開示】
【発明が解決しようとする課題】
【０００７】
本発明は、上記事実を考慮し、平版印刷版を所定のスキッドに効率よく集積させることができるスキッド供給ラインを提供することを目的とする。
【課題を解決するための手段】
【０００８】
請求項１に記載の発明は、スキッド供給ラインにおいて、所定サイズに加工されたシートを集積するシート集積部で集積されるシートと前記シート集積部へ搬入されたスキッドが適合するか否かを判断する適否判断手段と、前記適否判断手段でシートと前記スキッドが適合しないと判断されると、前記シート集積部を通過させて該スキッドを搬出口へ搬送し、前記適否判断手段でシートと前記スキッドが適合すると判断されると、前記シート集積部で該スキッドにシートを集積した後、スキッドを搬出口へ搬送する搬送手段と、を有することを特徴とする。
【０００９】
請求項１に記載の発明では、スキッドがシート集積部へ搬入されると、適否判断手段によって、集積されるシートと搬入されたスキッドが適合するか否かが判断され、シートと該スキッドが適合すると判断されると、シート集積部でスキッドにシートを集積した後、搬出手段によって、該スキッドを搬出口へ搬送するが、シートとスキッドが適合しないと判断されると、スキッドはシート集積部を通過し搬出口へ搬送される。
【００１０】
人手によってスキッドを搬送する場合、集積されたシートの数に応じてスキッドを包材庫から搬送してくれば良いため、スキッドが余るという問題は生じない。しかし、スキッド供給ラインを自動化するに当たって、平版印刷版の原反コイルを全使用する場合に、得率などを計算し必要なスキッド数が求められるが、シート集積部のトラブルなどによる歩留まり等を考慮する必要があり、シート集積部には計算上求めた数量のスキッドが搬送されることとなる。
【００１１】
このため、何ら問題が生じない場合は、スキッドが余剰となってしまう。この場合、該スキッドを、シート集積部を通過させて搬出口へ搬送させるようにする。このように、シートを集積させるか否かに拘わらず、スキッドを必ずシート集積部へ搬送することで、スキッド供給ラインを複雑化させることなく、自動化を実現させることができ、平版印刷版を所定のスキッドに効率よく集積させることができる。
【００１２】
請求項２に記載の発明は、請求項１に記載のスキッド供給ラインにおいて、前記シート集積部が二つの集積部で構成され、前記スキッドが一方の集積部を通過するとき、他方の集積部でシートが集積されることを特徴とする。
【００１３】
請求項２に記載の発明では、シート集積部を二つの集積部で構成し、余剰スキッドにおいて、他方の集積部でシートが集積されているとき、一方の集積部で該余剰スキッドを通過させるようにする。これにより、スキッド供給ラインを停止させることなく、生産性を向上させることができる。
【発明の効果】
【００１４】
本発明は、上記構成としたので、請求項１に記載の発明では、シートを集積させるか否かに拘わらず、スキッドを必ずシート集積部へ搬送することで、スキッド供給ラインを複雑化させることなく、自動化を実現させることができ、平版印刷版を所定のスキッドに効率よく集積させることができる。
【００１５】
請求項２に記載の発明では、シート集積部を二つの集積部で構成し、余剰スキッドにおいて、他方の集積部でシートが集積されているとき、一方の集積部で該余剰スキッドを通過させるようにする。これにより、スキッド供給ラインを停止させることなく、生産性を向上させることができる。
【発明を実施するための最良の形態】
【００１６】
図１には、本発明の実施の形態に係るスキッド供給ラインが示されており、図２には、このスキッド供給ラインへ搬送される平版印刷版１０（以下、「ＰＳ版１０」という）の加工ライン１００が示されている。
【００１７】
この加工ライン１００の上流側（図１右上側）には、あらかじめロール状に巻かれたウエブ１２を順次巻き出す送出機１４が配設されている。送出機１４から送り出された長尺状のウエブ１２はカール矯正された後、合紙１８が貼り合わされ、帯電により密着されて、ノッチャー２０に至る。
【００１８】
ノッチャー２０は、ウエブ１２に打ち抜き部を設け、裁断加工部２２を構成する裁断刃２４が、打ち抜き位置でウエブ１２の幅方向へ移動できるようにする。これにより、ウエブ１２を連続裁断しながら、ウエブ１２の裁断幅を変更することが可能となる。
【００１９】
このようにして、所定の裁断幅に裁断されたウエブ１２は、指示されたタイミングで走間カッタ３０により切断される。これにより、設定されたサイズのＰＳ版１０が製造される。そして、コンベア３２によって集積部３４へ送られる。各ＰＳ版１０には、個々にサイズや出荷形態等の情報が持たされており、ＰＳ版１０の仕様に対応してスキッド３６が供給され、該スキッド３６上にＰＳ版１０が集積されることとなる（後述する）。
【００２０】
ここで、ウエブ１２には、アルミニウム製の支持体上にあらかじめ感光層（又は感熱層）が形成されており、この感光層（又は感熱層）が形成された面が、ＰＳ版１０（図１参照）の画像形成面（ウエブ１２の表面）となっている。ウエブ１２は、加工ライン１００によって加工されて所望のサイズとされることで、印刷に使用可能なＰＳ版１０となる。
【００２１】
また、支持体としてのアルミニウム板は、例えば、ＪＩＳ１０５０材、ＪＩＳ１１００材、ＪＩＳ１０７０材、Ａｌ−Ｍｇ系合金、Ａｌ−Ｍｎ系合金、Ａｌ−Ｍｎ−Ｍｇ系合金、Ａｌ−Ｚｒ系合金、Ａｌ−Ｍｇ−Ｓｉ系合金等を適用し得る。メーカにおけるアルミニウム板の製造過程では、上記規格に適合するアルミニウムの鋳塊を製造し、このアルミニウム鋳塊を熱間圧延した後、必要に応じて焼鈍と呼ぶ熱処理を施し、冷間圧延により所定の厚さとされた帯状のアルミニウム板に仕上げる。
【００２２】
ＰＳ版１０は、長方形の板状に形成された薄いアルミニウム板の片面に、塗布膜（感光性印刷版の場合には感光層、感熱性印刷版の場合には感熱層）を塗布して形成されている。この塗布膜に、露光、現像処理、ガム引き等の製版処理が行われ、印刷機にセットされ、インクが塗布されることで、紙面に文字、画像等が印刷される。
【００２３】
なお、ＰＳ版１０（ウエブ１２）の具体的構成は特に限定されないが、例えば、ヒートモード方式およびフォトン方式のレーザ刷版用の平版印刷版とすることによって、デジタルデータから直接製版可能な平版印刷版とすることができる。
【００２４】
そして、塗布膜が塗布された面を画像形成面といい、この反対側の面、すなわち塗布膜が塗布されていない面を非画像形成面という。なお、本実施形態のＰＳ版１０は、印刷に必要な処理（露光や現像等）が施される前段階のものであり、場合によっては平版印刷版原版あるいは平版印刷版材と称されることもある。
【００２５】
また、ＰＳ版１０は、感光層又は感熱層中の成分を種々選択することによって、種々の製版方法に対応した平版印刷版とすることができる。本発明の平版印刷版の具体的態様の例としては、下記（１）〜（１１）の態様が挙げられる。
（１）  感光層が赤外線吸収剤、熱によって酸を発生する化合物、および酸によって架橋する化合物を含有する態様。
（２）  感光層が赤外線吸収剤、および熱によってアルカリ溶解性となる化合物を含有する態様。
（３）  感光層が、レーザ光照射によってラジカルを発生する化合物、アルカリに可溶のバインダー、および多官能性のモノマーあるいはプレポリマーを含有する層と、酸素遮断層との２層を含む態様。
（４）  感光層が、物理現像核層とハロゲン化銀乳剤層との２層からなる態様。
（５）  感光層が、多官能性モノマーおよび多官能性バインダーとを含有する重合層と、ハロゲン化銀と還元剤を含有する層と、酸素遮断層との３層を含む態様。
（６）  感光層が、ノボラック樹脂およびナフトキノンジアジドを含有する層と、ハロゲン化銀を含有する層との２層を含む態様。
（７）  感光層が、有機光導電体を含む態様。
（８）  感光層が、レーザー光照射によって除去されるレーザー光吸収層と、親油性層および／または親水性層とからなる２〜３層を含む態様。
（９）  感光層が、エネルギーを吸収して酸を発生する化合物、酸によってスルホン酸またはカルボン酸を発生する官能基を側鎖に有する高分子化合物、および可視光を吸収することで酸発生剤にエネルギーを与える化合物を含有する態様。
（１０）  感光層が、キノンジアジド化合物と、ノボラック樹脂とを含有する態様。
（１１）  感光層が、光又は紫外線により分解して自己もしくは層内の他の分子との架橋構造を形成する化合物とアルカリに可溶のバインダーとを含有する態様。
【００２６】
特に、近年では、レーザー光で露光する高感度感光タイプの塗布膜を塗布した平版印刷版や、感熱タイプの平版印刷版が使用されることもある（例えば上記した（１）〜（３）の態様等）。
【００２７】
なお、ここでいうレーザー光の波長は特に限定されず、例えば、
（ａ）  波長域３５０〜４５０ｎｍのレーザー（具体例としては、波長４０５±５ｎｍのレーザーダイオード）。
（ｂ）  波長域４８０〜５４０ｎｍのレーザー（具体例としては、波長４８８ｎｍのアルゴンレーザー、波長５３２ｎｍの（ＦＤ）ＹＡＧレーザー、波長５３２ｎｍの固体レーザー、波長５３２ｎｍの（グリーン）Ｈｅ−Ｎｅレーザー）。
（ｃ）  波長域６３０〜６８０ｎｍのレーザー（具体例としては、波長６３０〜６７０ｎｍのＨｅ−Ｎｅレーザー、波長６３０〜６７０ｎｍの赤色半導体レーザー）。
（ｄ）  波長域８００〜８３０ｎｍのレーザー（具体例としては、波長８３０ｎｍの赤外線（半導体）レーザー）。
（ｅ）  波長１０６４〜１０８０ｎｍのレーザー（具体例としては、波長１０６４ｎｍのＹＡＧレーザー）。
【００２８】
等を挙げることができる。これらのうち、例えば、（ｂ）及び（ｃ）の波長域のレーザー光はいずれも、上記した（３）又は（４）の態様の感光層又は感熱層を有する平版印刷版の双方に適用可能である。また、（ｄ）及び（ｅ）の波長域のレーザー光はいずれも、上記した（１）又は（２）の態様の感光層又は感熱層を有する平版印刷版の双方に適用可能である。もちろん、レーザー光の波長域と感光層又は感熱層との関係はこれらに限定されない。
【００２９】
ＰＳ版１０の形状等は特に限定されず、例えば、厚み０．１〜０．５ｍｍ、長辺（幅）３００〜２０５０ｍｍ、短辺（長さ）２００〜１５００ｍｍのアルミニウム板の片面に感光層又は感熱層が塗布されたもの等とすることができる。
【００３０】
使用される合紙１８としては平版印刷版に用いられる一般的なものでよいが、代表例を下記に示す。合紙１８としても、ＰＳ版１０の塗布膜を確実に保護できれば、その具体的構成は限定されないが、例えば、木材パルプを１００％使用した紙や、木材パルプを１００％使用せず合成パルプを使用した紙、及びこれらの紙の表面に低密度ポリエチレン層を設けた紙等を使用できる。
【００３１】
特に、合成パルプを使用しない紙では、材料コストが低くなるので、低コストで合紙１８を製造することができる。より具体的には、漂白クラフトパルプから抄造した坪量２０〜５５ｇ／ｍ2、密度０．７〜０．８５ｇ／ｃｍ3、水分４〜６％、ベック平滑度１０〜８００秒、ＰＨ４〜６、透気度１５〜３００ｓｅｃの合紙が挙げられるが、もちろんこれに限定されない。
【００３２】
次に、本発明の実施の形態に係るスキッド供給ライン３８を図２を参照して説明する。
【００３３】
図４に示す制御部４０によって自動運転される無人搬送車４２によって包材庫４４からスキッド３６が搬送される。スキッド供給ライン３８を構成する搬入口４６には、データ読取装置４８が配設されており、包材庫４４から搬入されたスキッド３６の仕様（外形寸法等）が記されたスキッドデータを読み取り、制御部４０に該スキッドデータを送信する。
【００３４】
ここで、スキッド３６は板材で構成されたパレット５０に載置されており、このパレット５０とスキッド３６を１組１段として、包材庫４４の高さ及び無人搬送車４２の能力により、ここでは、最高４段の状態で包材庫４４から搬送される。
【００３５】
そして、スキッド３６を集積部３４へ搬送するための搬送準備手段として、無人搬送車４２は搬入口４６を通過すると段バラシ部５２へ移動する。この段バラシ部５２にはフォークリフト５４の爪部５６が配設されている。一方、無人搬送車４２には図示はしないが昇降装置が設けられており、昇降移動可能となっている。
【００３６】
この昇降装置によって、フォークリフト５４の爪部５６が下から２段目のパレット５０の開口部５０Ａ内に挿入可能となるように無人搬送車４２の載置台５８を上昇移動させる。そして、フォークリフト５４の爪部５６が下から２段目のパレット５０の開口部５０Ａ内に挿入した状態で、昇降装置を下降移動させると、無人搬送車４２上には、最下段のパレット５０のみが載置された状態となる。この状態で、無人搬送車４２は次の工程に移動する。
【００３７】
一方、フォークリフト５４によって上方に位置する３段のパレット５０は、次に移動してきた無人搬送車４２の昇降装置の上昇移動により無人搬送車４２の載置台５８に載置された後、フォークリフト５４の爪部５６を抜き、さらにフォークリフト５４の爪部５６が下から２段目のパレット５０の開口部５０Ａ内に挿入されるように昇降装置を下降させる。そして、フォークリフト５４の爪部５６が下から２段目のパレット５０の開口部５０Ａ内に挿入された状態で、さらに昇降装置を下降移動させることで、無人搬送車４２上には、最下段のパレット５０のみが載置された状態となる。この動作を繰り返すことで、４段に積まれたパレット５０が１段ずつばらされる。
【００３８】
ここで、パレット５０とスキッド３６を１組１段として積み重ねるため、スキッド３６の上面には、パレット５０が載置されることとなるが、スキッド３６の上面が傷付いたり、また、スキッド３６の上面にゴミなどが付着しないよう、スキッド３６の上面を保護するための保護紙６０がスキッド３６の上面に載置されており、スキッド３６の上面を覆っている。
【００３９】
このため、段バラシ部５２の次に、無人搬送車４２は保護紙外し部６２へ移動する。以下、無人搬送車４２の図示を省略する。この保護紙外し部６２には、複数の吸引部６４が設けられた吸引装置６６が配設されており、搬送されたスキッド３６上の保護紙６０を吸引し、所定の位置に移動させる。これにより、スキッド３６上の保護紙６０が外され、スキッド３６はトラバーサー部６８へ移動する。
【００４０】
ところで、所定のサイズに裁断されたＰＳ版１０は、コンベア３２によって集積部３４へ送られるが、図３に示すように、集積部３４は集積１と集積２とで構成され、切替装置７０によって、コンベア７２又はコンベア７４に切り替えられて、集積１又は集積２へ搬送される。この集積１又は集積２へスキッド３６が搬送され、該スキッド３６上にＰＳ版１０が集積されることとなる。
【００４１】
ここで、切替装置７０の上流側には、図４に示すデータ読取装置７６が配設されており、コンベア３２で搬送されるＰＳ版１０の仕様（外形寸法等）が記されたシートデータを読み取り、制御部４０に該シートデータを送信する。
【００４２】
図５に示すように、制御部４０では、ステップ１００において、シートデータとスキッドデータとを照合し、集積されるＰＳ版１０とスキッド３６とが適合するか否かが判断される。そして、ＰＳ版１０とスキッド３６が適合すると判断されると、ステップ１０２において、スキッド３６は一旦待機位置へ移動した後、集積部３４へ搬送され、ステップ１０４において、集積部３４にセットされる。
【００４３】
このとき、無人搬送車４２の昇降装置によって、スキッド３６はＰＳ版１０を受け取る位置まで上昇し、ステップ１０６において、ＰＳ版１０を集積する。そして、所定枚数（例えば５００枚）が集積されると下降し、ステップ１０８において、スキッド３６は搬出口７８を経て、包装工程（図示省略）へ搬送される。
【００４４】
一方、ステップ１００において、ＰＳ版１０とスキッド３６が適合しないと判断された場合、ステップ１１０において、スキッド３６は一旦待機位置３３へ移動し、ステップ１１２において、集積部３４を通過する。そして、ステップ１１４において、スキッド３６は搬出口７８を経て、包材庫４４へ搬送される。
【００４５】
つまり、ＰＳ版１０の同一ロットでは同じ包装形態を有するため、ロット毎に包装工程へ案内されることとなるが、同一ロットでは同じスキッド３６が用いられるため、シートデータとスキッドデータとが適合することとなる。このため、トラバーサー部６８において、待機位置３３にあるスキッド３６が前ロット用か現ロット用かが判断され、前ロット用なら集積部３４を通過させる。これにより、各ロットが混ざらないようにしている。
【００４６】
ところで、集積部３４では集積１と集積２が設けられており、トラバーサー部６８によってスキッド３６は待機１又は待機２へ振り分けられ、集積１又は集積２へ搬送される。ここで、集積１から搬出口７８へのラインと集積２から搬出口７８へのラインは一部を共有しており、集積１又は集積２から搬送されてきたスキッド３６は、合流部８０において合流することとなる。
【００４７】
集積１から合流部８０までの搬送時間と集積２から合流部８０までの搬送時間とは、搬送時間を変えており、生産ラインを停止させることなく、集積１と集積２とで調整を図り
、ＰＳ版１０のロットの切替えをスムーズに行えるようにしている。
【００４８】
具体的には、集積１と合流部８０までの搬送時間の方が、集積２と合流部８０までの搬送時間よりも長くしている。このため、集積１と集積２とで交互にスキッド３６を搬送するようにすると、集積２側のスキッド３６が滞留してしまうことがある。したがって、基本的には、集積２側の搬送を優先させ、ロットの切替え時において、後ロットが前ロットを追い越さないようにするため、集積１側の優先させる場合もある。
【００４９】
ここで、人手によってスキッド３６を搬送する場合、集積されたＰＳ版１０の数に応じてスキッド３６を包材庫４４から搬送してくれば良いため、スキッド３６が余るという問題は生じないが、スキッド供給ライン３８を自動化するに当たって、ウエブ１２を全使用する場合に、得率などを計算し必要なスキッド数が求められるが、集積部３４のトラブルなどによる歩留まり等を考慮する必要があり、集積部３４には計算上求めた数量のスキッド３６が搬送されることとなる。
【００５０】
このため、何ら問題が生じない場合は、スキッド３６が余剰となってしまう。この場合、該スキッド３６を、集積部３４を通過させて搬出口７８から搬出させるようにする。このように、ＰＳ版１０を集積させるか否かに拘わらず、スキッド３６を必ず集積部３４へ搬送することで、スキッド供給ライン３８を複雑化させることなく、自動化を実現させることができ、ＰＳ版１０を所定のスキッド３６に効率よく集積させることができる。
【００５１】
また、過去の経験により、スキッド数は、計算上求めたスキッド数＋５％（端数切り上げ）を選定する。このスキッド数では、スキッド３６が不足することなく、また大量に余剰が出ることがない。スキッド３６の余剰が大量に出ると、余剰の処理に時間が掛かり、ラインの停止が必要となるが、このスキッド数では、無人搬送車４２及び包装工程のトラブルと重ならない限りラインを停止しなくても良い。
【００５２】
また、集積部３４を集積１と集積２で構成することで、余剰スキッド３６において、他方の集積部３４でＰＳ版１０が集積されているとき、一方の集積部３４で該余剰スキッド３６を通過させるようにする。これにより、スキッド供給ライン３８を停止させることなく、生産性を向上させることができる。
【図面の簡単な説明】
【００５３】
【図１】ＰＳ版の加工ラインを示す概略図である。
【図２】本発明の実施の形態に係るスキッド供給ラインを示す概略図である。
【図３】本発明の実施の形態に係るスキッド供給ラインの集積部を示す概略側面図である。
【図４】本発明の実施の形態に係るスキッド供給ラインの制御を示すブロック図である。
【図５】本発明の実施の形態に係るスキッド供給ラインの制御を示すフローチャートである。
【符号の説明】
【００５４】
１０      ＰＳ版（平版印刷版）
３４      集積部
３６      スキッド
３８      スキッド供給ライン
４０      制御部（適否判断手段）
４２      無人搬送車（搬送手段）
７２      コンベア
７４      コンベア
７８      搬出口
【図１】
2007084304.tif 000003
【図２】
2007084304.tif 000004
【図３】
2007084304.tif 000005
【図４】
2007084304.tif 000006
【図５】
2007084304.tif 000007